(57)【要約】【課題】排水振動が建物躯体に伝わることにより発生する排水固体音の防止対策を含め、配管作業全体が容易であり、また作業効率を低下させることがないようにする。【解決手段】振動絶縁材によって形成され、建物躯体３に設けられた排水管挿通用の貫通孔４に対してその孔内周面に沿って装着可能とされた振動絶縁施工具１を使用して、その内側に排水管２を設け、これら振動絶縁施工具１と排水管２との周間に充填材５を設ける。【選択図】　　　図１
2004084733.tif 000002
【特許請求の範囲】
【請求項１】
振動絶縁材によって形成され、建物躯体（３）に設けられた排水管挿通用の貫通孔（４）に対してその孔内周面に沿って装着可能とされていることを特徴とする排水管用振動絶縁施工具。
【請求項２】
前記貫通孔（４）に内嵌可能な円筒形に形成されていることを特徴とする請求項１記載の排水管用振動絶縁施工具。
【請求項３】
円筒形の一端部に径方向外方へ張り出す枝管支持部（１５）が設けられていることを特徴とする請求項２記載の排水管用振動絶縁施工具。
【請求項４】
表面が撥水処理されていることを特徴とする請求項１乃至請求項３のいずれかに記載の排水管用振動絶縁施工具。
【請求項５】
建物躯体（３）に設けられた排水管挿通用の貫通孔（４）の孔内周面に請求項１乃至請求項４のいずれかに記載の排水管用振動絶縁施工具（１）が設けられ、この排水管用振動絶縁施工具（１）の内側に排水管（２）が設けられ、これら排水管用振動絶縁施工具（１）と排水管（２）との周間に充填材（５）が設けられていることを特徴とする排水管の振動絶縁施工構造。
【請求項６】
建物躯体（３）に設けられた排水管挿通用の貫通孔（４）の孔内周面に請求項３又は請求項４記載の排水管用振動絶縁施工具（１）が設けられ、この排水管用振動絶縁施工具（１）に設けられた枝管支持部（１５）が建物躯体（３）における貫通孔（４）の開口周部に当接され、この枝管支持部（１５）を介して排水管（２）に設けられた枝管（１６）が支持される状態でこの排水管用振動絶縁施工具（１）の内側に排水管（２）が設けられ、これら振動絶縁施工具（１）と排水管（２）との周間に充填材（５）が設けられていることを特徴とする排水管振動絶縁施工構造。
【請求項７】
建物躯体（３）を施工する際のコンクリート打設前に予め建物躯体（３）へ設ける貫通孔位置に対応させて請求項１乃至請求項４のいずれかに記載の排水管用振動絶縁施工具（１）を円筒形で取り付け、しかる後、この排水管用振動絶縁施工具（１）で囲まれた内部にはコンクリートが入り込まない状態でコンクリート打設を行い、施工された建物躯体（３）において既に排水管用振動絶縁施工具（１）が装着状態となっている貫通孔（４）内へ排水管（２）を設けてこの排水管（２）まわりと排水管用振動絶縁施工具（１）との周間に充填材（５）を充填することを特徴とする排水管の振動絶縁施工方法。
【発明の詳細な説明】
【０００１】
【発明の属する技術分野】
本発明は、排水管用振動絶縁施工具及び排水管の振動絶縁施工構造及び排水管の振動絶縁施工方法に関するものである。
【０００２】
【従来の技術】
集合住宅等の多層階建物で採用される排水管システム等において、床スラブ等の建物躯体を貫通して設置される排水管（排水集合管等）に対しては、排水振動が建物躯体に伝搬し、これが音として室内へ放射される、いわゆる排水固体音を防止する対策として、排水振動を絶縁するための種々のものが提案されている。例えば、排水管のまわりに板金製被覆材を設けるものとして、この被覆材の内面に、リング状をした耐火性弾性材と防振性弾性材とを管軸方向に沿って交互に配置し、これら各弾性材の内周面を管外面に当接させ、また被覆材の外面と建物躯体に設けた貫通孔の内周面との周間にモルタルを充填するというものがある（特開平１０−２３８６６３号公報等参照）。
【０００３】
上記被覆材は、排水管よりも一回り径大な中空円錐台形を縦方向に半割りしたような形状の二部材を、互いに向き合わせて（排水管をその両側から抱き合わせるようにして）結合させる構造になっている。
この他、テープ状に形成された耐火性振動絶縁材を排水管まわりに巻回被着させ、この振動絶縁材の外面と貫通孔の内周面との周間にモルタルを充填するというものがあった。
【０００４】
【発明が解決しようとする課題】
従来において採用されていた排水固体音の防止対策は、上記したように排水管に対して前もって半割り結合構造の被覆材を装着したり、或いはテープ状に形成された耐火性振動絶縁材を巻き付けたりするといった下準備が必要とされる。
すなわち、一般的な配管作業（貫通孔を通さない部分での配管作業）とは異なる特異な手順が加わるものである。
そのため、一般的な配管作業に慣れた作業者にとっては、この排水固体音の防止対策作業が煩わしく、配管作業全体が面倒且つ困難になって、作業能率が甚だ低下するという問題があった。
【０００５】
本発明は、上記事情に鑑みてなされたものであって、排水固体音の防止対策を含め、配管作業全体が容易であり、また作業効率を低下させることのない排水管用振動絶縁施工具及び排水管の振動絶縁施工構造及び排水管の振動絶縁施工方法を提供することを目的とする。
【０００６】
【課題を解決するための手段】
前記目的を達成するために、本発明は次の手段を講じた。
即ち、本発明に係る排水管用振動絶縁施工具１は、振動絶縁材によって形成され、建物躯体３に設けられた排水管挿通用の貫通孔４に対し、その孔内周面に沿って装着可能とされている。
従って、この排水管用振動絶縁施工具１を用いて構成する本発明に係る排水管２の振動絶縁施工構造は、建物躯体３に設けられた排水管挿通用の貫通孔４の孔内周面に対し、この排水管用振動絶縁施工具１を設け、そのうえでこの排水管用振動絶縁施工具１の内側に排水管２を設け、これら排水管用振動絶縁施工具１と排水管２との周間に充填材５を設けたものとなる。
【０００７】
このような構成では、排水管２から発生される排水振動が充填材５には伝わるが、この充填材５から排水管用振動絶縁施工具１へ伝わる段階で吸収（振動減衰）され、この排水管用振動絶縁施工具１から建物躯体３へは伝搬しないか、或いは減少するものとなる。
このような排水管用振動絶縁施工具１は、シート状に平らで可撓性のあるものとして形成しておき、必要に応じて貫通孔４の内径に合わせた円筒形に形成するものとしてもよい。しかし、当初より貫通孔４に内嵌可能な円筒形に形成しておくと、より一層、施工作業が容易になる。
【０００８】
この排水管用振動絶縁施工具１において、円筒形の一端部に径方向外方へ張り出す枝管支持部１５を設けておくことができる。
このようにすると、排水管２に対して枝管１６が設けられている場合に、この枝管１６を枝管支持部１５に対して支持させるようにして、この枝管１６が建物躯体３に接触するのを防止することができる。
そのため、排水管２の枝管１６から建物躯体３への排水振動の伝搬も防止できる。
【０００９】
排水管用振動絶縁施工具１は、例えばロックウールやガラスウール等によって形成することができる。ただ、このようなウール材を用いた場合などでは透水性を有した状態になるので、この排水管用振動絶縁施工具１の表面を撥水処理しておくのが好適となる。
すなわち、この撥水処理を施すことにより、建物躯体３（殊に床スラブである場合）において、貫通孔４を介しての漏水を防止することができる。
この排水管用振動絶縁施工具１は、既に施工された建物躯体３に対し、そこに設けられた排水管挿通用の貫通孔４へ後付けするようにしてもよい。
【００１０】
しかし、次のような施工方法を実施することができる。
すなわち、本発明に係る排水管２の振動絶縁施工方法は、建物躯体３を施工する際のコンクリート打設前に、予め建物躯体３へ設ける貫通孔位置に対応させて上記排水管用振動絶縁施工具１を円筒形で取り付ける。
そして、その後、この排水管用振動絶縁施工具１で囲まれた内部にコンクリートが入り込まないようにしつつ、建物躯体３を施工するためのコンクリート打設を行う。
【００１１】
このようにして施工された建物躯体３では、排水管挿通用の貫通孔４の形成と共に、この貫通孔４内に対して既に排水管用振動絶縁施工具１が装着された状態となっている。
そこで、このような排水管用振動絶縁施工具１付き貫通孔４に対し、その孔内へ排水管２を設け、この排水管２まわりと排水管用振動絶縁施工具１との周間に充填材５を充填するようにすればよい。
この施工方法では、建物躯体３の施工後に行う配管作業の中で、わざわざ排水管用振動絶縁施工具１を取り付けるといった手間は必要ないので、従来の一般的な配管作業（貫通孔４を通さない部分での配管作業）と実質的に同様の作業となり、この排水管用振動絶縁施工具１を採用したことによる煩わしさは一切生じない。
【００１２】
【発明の実施の形態】
以下、本発明の実施の形態を、図面に基づき説明する。
図１は、本発明に係る排水管用振動絶縁施工具（以下、単に「振動絶縁施工具」と言う）１の第１実施形態を用いて施工した本発明に係る排水管２の振動絶縁施工構造を示している。
この振動絶縁施工構造では、建物躯体３に設けられた排水管挿通用の貫通孔４に対し、その孔内周面に沿って全周を覆う状態で振動絶縁施工具１を設けてある。
【００１３】
そして、この振動絶縁施工具１の内側に排水管２が設けられ、これら振動絶縁施工具１と排水管２との周間に充填材５が設けられている。
なお、本実施形態において、建物躯体３は集合住宅等の多層階建物にあって各階層ごと又は最下階を区画する床スラブであるものとしてある。従って、貫通孔４はこの建物躯体３（床スラブ）を上下方向に貫通するものとなっている。
また排水管２は、その中央部以下で下すぼみのテーパ管部６を有した排水集合管としてあり、このテーパ管部６を上記貫通孔４内へ挿通させるように設けられている。
【００１４】
充填材５は例えばモルタル等であって、排水管２におけるテーパ管部６の外周面と振動絶縁施工具１の内周面との周間全周に、略均等肉厚となるように充填されている。
この振動絶縁施工具１は、少なくとも貫通孔４内に装着された状態で、この貫通孔４の内径と略同じ寸法の外径に形成された円筒形に形成されている。
ただ、貫通孔４内へ装着前の状態としては、可撓性を有することを条件として、シート状に平らな形状をしたものでもよく、或いは当初から（工場出荷の段階から）、貫通孔４の内径に合わせた円筒形として形成しておくことも可能である。
【００１５】
この振動絶縁施工具１は、振動絶縁材によって形成されている。この振動絶縁材としては、例えばロックウールやガラスウールをはじめとする多孔質吸音材料等を用いることができる。
ロックウールやガラスウール等は、耐火性及び遮炎性をも有しており好適である。なお、これらのウール材の場合、適宜撥水材を表面全体にコーティングするか又は全体に含浸させることによる撥水処理を施しておくのが好適である。
この振動絶縁施工具１を貫通孔４内へ装着するには、建物躯体３の施工と同時に行うことができる。
【００１６】
図２及び図３はこの装着過程を示している。
すなわち、図２に示すように、建物躯体３を施工するためにコンクリート型枠１０を設置するに際し、貫通孔４を設けるべき位置（貫通孔位置１１）に対し、振動絶縁施工具１を円筒形にして取り付ける。
そして、その後、この振動絶縁施工具１で囲まれた内部にコンクリートが入り込まないようにしつつ、この振動絶縁施工具１の外側、即ち、コンクリート型枠１０内へコンクリート打設を行う。
【００１７】
このようにすれば、図３に示すようにコンクリートの硬化後にコンクリート型枠１０を分解除去して建物躯体３を施工し終わった段階で、既に、排水管挿通用の貫通孔４の形成と共にこの貫通孔４内に対する振動絶縁施工具１の装着も完了した状態となっている。
従って、その後は、このような振動絶縁施工具１付き貫通孔４に対し、その孔内へ排水管２を設け、振動絶縁施工具１と排水管２のテーパ管部６との周間に充填材５を充填するといった、一般的な配管作業を行えばよいだけである。
【００１８】
のみならず、図２に示したようなコンクリート型枠１０に対して振動絶縁施工具１を取り付ける作業は、建物躯体３に対して貫通孔４を形成させるための手順（ボイド管と呼ばれる紙製の円筒を取り付ける手順）と略同じものであるから、換言すれば、この振動絶縁施工具１の取付作業によって貫通孔４の形成作業が兼用（省略）される、或いは貫通孔４の形成作業として振動絶縁施工具１の取付作業が兼用（省略）される、と言うことができる。
のみならず、上記ボイド管を使用して単に排水管挿通用の貫通孔４を形成させる場合に関して言えば、コンクリート硬化後に、コンクリート型枠１０の分解除去と同時にボイド管をも除去する必要があるが、これを振動絶縁施工具１とする場合には、この手間も省けるという利点がある。
【００１９】
なお、上記したように振動絶縁施工具１として、当初、可撓性を有したシート状のものを用いる場合には、建物躯体３の貫通孔４に対し、その孔内周面に振動絶縁施工具１を貼り付けるといった手順の方が好適となるが、この場合、貫通孔４の内周面と振動絶縁施工具１との間に適宜接着剤を塗布させて仮付け状態としてから、この振動絶縁施工具１付き貫通孔４に対し、その孔内へ排水管２を設け、振動絶縁施工具１と排水管２のテーパ管部６との周間に充填材５を充填するといった、一般的な配管作業を行えばよい。
【００２０】
このようにして構成された本発明の振動絶縁施工構造では、排水管２から発生される排水振動が充填材５には伝わるものとしても、この充填材５から振動絶縁施工具１へは伝わらず、従ってこの振動絶縁施工具１から建物躯体３への伝搬もないか、或いは減少する。
そのため、建物の室内に対しての排水固体音の発生も防止されることになる。図４は、本発明に係る振動絶縁施工具１の第２実施形態を用いて施工した本発明に係る排水管２の振動絶縁施工構造を示している。
【００２１】
この第２実施形態の振動絶縁施工具１が上記した第１実施形態と最も異なるところは、円筒形の一端部に径方向外方へ張り出す枝管支持部１５が設けられている点にある。
この枝管支持部１５は、振動絶縁施工具１が円筒形を呈した状態でその一端部から外周全周へ向けて鍔状に張り出したものとなっている。
従って、建物躯体３の貫通孔４内へ振動絶縁施工具１を装着させた状態として、この枝管支持部１５を貫通孔４の開口周部に沿わせて広げることができるようになる。そのため、排水管２に対して枝管１６が設けられている場合であっても、この枝管１６を枝管支持部１５で支持させることができる。
【００２２】
すなわち、この枝管１６は、建物躯体３とは直接的に接触することがなくなるので、この枝管１６を通じて排水管２側からの排水振動が建物躯体３へ伝搬されるということもない。
なお、上記枝管支持部１５は、振動絶縁施工具１の全周に張り出したものとすることが限定されるものではなく、一方向又は二方向等へ舌片状に突出したものとして形成することも可能である。
ところで、本発明は、上記した実施形態以外に限定されるものではなく、実施の形態に応じて適宜変更可能である。
【００２３】
例えば、建物躯体２は、各階層を区画する床スラブ等水平方向に設けられるものに限らず、図５に示すように、梁部や壁部等のように縦方向に設けられるものをも含むものとする。
従って当然に、排水管５としてもその形状等は何ら限定されるものではなく、直管等であってもよいものである。
【００２４】
【発明の効果】
以上の説明から明らかなように、本発明に係る排水管用振動絶縁施工具及び排水管の振動絶縁施工構造及び排水管の振動絶縁施工方法では、排水固体音の防止対策を含め、配管作業全体が容易であり、また作業効率を低下させることがない。
【図面の簡単な説明】
【図１】本発明に係る振動絶縁施工具の第１実施形態を用いて施工した本発明に係る排水管の振動絶縁施工構造を示した側断面図である。
【図２】図１の振動絶縁施工具を建物躯体へ装着する手順を示した側断面図である。
【図３】図２に続く手順の側断面図である。
【図４】本発明に係る振動絶縁施工具の第２実施形態を用いて施工した本発明に係る排水管の振動絶縁施工構造を示した側断面図である。
【図５】建物躯体が梁部などである場合の振動絶縁施工具の装着状況を示した側断面図である。
【符号の説明】
１　　振動絶縁施工具
２　　排水管
３　　建物躯体
４　　貫通孔
５　　充填材
１５　　枝管支持部
１６　　枝管
【図１】
2004084733.tif 000003
【図２】
2004084733.tif 000004
【図３】
2004084733.tif 000005
【図４】
2004084733.tif 000006
【図５】
2004084733.tif 000007